(57)【要約】【課題】細くて剛い（伸びが少ない）が衝撃力に弱い釣糸ａと衝撃力に強いが太くて柔かい釣糸ｂという特性の異なる２本の釣糸を、結び目で応力を集中させることなく、また結び目を太くすることなく簡単に繋ぐ機器。【解決手段】釣糸ａと釣糸ｂを保持できる第１の糸保持回転体と、釣糸ｂを保持できる第２の糸保持回転体を同期回転させることより、第１の糸保持回転体と第２の糸保持回転体に保持され回転する太くて柔かい釣糸ｂに、細くて剛い釣糸ａを多数回均一に巻付けて、応力を巻数で分散させて特性の異なる２本の釣糸を繋ぐ。【選択図】図３ 
2005160444.tif 000002
【特許請求の範囲】
【請求項１】
略コ字状の形状をした本体ケースと、
前記本体ケースの両端に配設され、釣糸を保持して回転する第１の糸保持回転体と第２の糸保持回転体と、
電池を電源として駆動するモーターと、
電源を「入」「切」するスイッチ部とを備え、
前記モーターの駆動により前記第１の糸保持回転体と前記第２の糸保持回転体とが同期回転することを特徴とする電動釣糸結び器。
【請求項２】
第１の糸保持回転体と第２の糸保持回転体とを同期回転させる回転伝達部と、前記回転伝達部にモーターの回転を伝える減速部を備えた請求項１記載の電動釣糸結び器。
【請求項３】
回転伝達部および減速部は、歯車列伝達方式、ベルト伝達方式、またはチェーン伝達方式のいずれかを利用した請求項２記載の電動釣糸結び器。
【請求項４】
第１の糸保持回転体および第２の糸保持回転体はともに回転軸部を備え、本体ケースの両端には前記回転軸部と回転嵌合する第１の軸受部と第２の軸受部とを備え、前記回転軸部には回転中心線方向に中心線付近に達する溝部を設け、前記第１の軸受部と前記第２の軸受部には前記溝部と同方向に切欠部を設け、前記溝部に釣糸を挟持する請求項１記載の電動釣糸結び器。
【請求項５】
第１の糸保持回転体には回転面の一部に凹部を設け、スイッチ部には前記凹部に嵌合する凸部を形成し、スイッチ部を電源「入」にした時、前記凸部は前記凹部から外れて前記第１の糸保持回転体が回転して、前記凸部は付勢接触しながら前記回転面を摺動しつつ、電源「入」状態を維持し、前記第１の糸保持回転体が回転して前記凸部が前記凹部に嵌合したとき、電源「切」状態となるとともに前記第１の糸保持回転体の回転停止位置を規制することを特徴とする請求項１記載の電動釣糸結び器。
【請求項６】
釣糸が巻かれたスプール（糸巻体）に取付け可能で、前記釣糸から前記スプール（糸巻体）が吊り下がっても、前記釣糸が必要以上に解けないように保持できる止め部品を付属品として有する請求項１記載の電動釣糸結び器。
【請求項７】
第１の糸保持回転体の溝部および第２の糸保持回転体の溝部には壁面を設け、その壁面に一端を付勢接触するように取り付けられた略Ｕ字状の形状をした糸押えバネを備え、前記壁面と前記糸押えバネとの間に釣糸を挟持する請求項４記載の電動釣糸結び器。
【請求項８】
モーターのシャフトに段付軸が固定され、その段付軸に取付けられ、一定以上の回転力が加わったとき、前記段付軸に対して滑り回転するように設定されている滑り回転体を備えることを特徴とする請求項１記載の電動釣糸結び器。
【発明の詳細な説明】
【技術分野】
【０００１】
本発明は、特性の異なる２本の釣糸を繋ぐための機器に関するものである。
【背景技術】
【０００２】
釣りにおいて、特に擬似針を使用する釣りでは、細くて剛い（伸びが少ない）が衝撃力に弱い釣糸ａと衝撃力に強いが太くて柔かい釣糸ｂという特性の異なる２本の釣糸のお互いの長所を組み合わせて使用している。釣糸は、滑りやすく結びにくいだけでなく、単に２本の釣糸を結び付けるだけでは、結び目に応力が集中して、結び目で切れやすい。
【０００３】
そのため、太くて柔かい釣糸ｂに細くて剛い釣糸ａを多数回巻付けることで、応力を巻数で分散して、お互いを絡ませて摩擦力で、特性の異なる２本の釣糸を繋いでいる。
【０００４】
しかし、従来のやり方では、釣糸ｂに釣糸ａを多数回巻付ける作業を、手作業で行なっており、巻付けに手間取ったり、巻付けが不均一で結合力が弱くなったり、揺れる船上や足場の悪い釣場においての作業に手間取る等の不都合があった。
【０００５】
また、擬似針を使用する釣りにおいては、擬似針を遠くへ飛ばすため、糸を竿先から短くして投込むので、結び目は釣竿の糸ガイドを通過する。そこで結び目は太くならないことが好ましい。
【０００６】
釣糸を結ぶ機器としては、例えば特許文献１に釣針の釣糸結び器が開示されている。これは、内掛け結びという結び方で釣り針に釣糸を結ぶもので、釣針と輪状にした釣糸をその釣糸の端で数回前記輪状の内側を巻付けた後、輪状にした釣糸を絞って結ぶようにしている。また、特許文献２には、糸どうしを結ぶ機器が開示されている。これは、内掛け結びで枝ハリスの仕掛けを作成するようにしている。また、特許文献３には、鮎釣り用の仕掛け作成のための編付け結びができる機器が開示されている。
【特許文献１】特開昭５７−１２５６３３号公報
【特許文献２】特開平０７−２５５３４１号公報
【特許文献３】特開平０９−２０５９５９号公報
【発明の開示】
【発明が解決しようとする課題】
【０００７】
しかし、特許文献１に開示された釣針の釣糸結び器では、数回しか巻けないので保持力に限界がある。また釣針には、チモトという抜止部があるので問題はないが、これにより２本の糸を結ぶには、糸どうしが滑ってしまい多数巻きが必要となる。また結び目は、釣糸を輪状にするため重ねた釣糸部と釣針と巻付け後絞込まれる輪状が更に重なるため、太くなる。太い結び目は、竿の糸ガイドに引掛り易くなるため好ましくない。また、特許文献２に開示された糸どうしを結ぶ機器では、特許文献１に開示された釣針の釣糸結び器と同様に、釣糸を輪状にして結ぶとき、結び目が移動しないように、幹糸は２回、枝ハリスは１回輪を作るため、さらに結び目が太くなる。また、特許文献３に開示された機器よる編付け結びは結び目の移動可能な結び方で保持力が弱く、また機器自体の携帯性が考慮されていないので、糸が切れて糸結びが必要な釣り現場での使用には適していない。
【０００８】
本発明は、結び目を太くすることなく、細くて剛い（伸びが少ない）が衝撃力に弱い釣糸ａと衝撃力に強いが太くて柔かい釣糸ｂという特性の異なる２本の釣糸を繋ぐために、釣糸ｂに釣糸ａを多数回の整列巻付け作業を、簡単に、すばやく、均一にでき、しかも糸が切れて糸結びが必要な釣り現場での使用に適するよう携帯性にすぐれた釣糸結び器を提
供することを目的とする。
【課題を解決するための手段】
【０００９】
上記課題を解決するため、本発明の電動釣糸結び器は、略コ字状の形状をした本体ケ−スと、前記本体ケースの両端に配設され、釣糸を保持して回転する第１の糸保持回転体と第２の糸保持回転体と、電池を電源として駆動するモーターと、電源を「入」「切」するスイッチ部とを備え、前記モーターの駆動により前記第１の糸保持回転体と前記第２の糸保持回転体とが同期回転するよう構成されている。
【００１０】
これにより、細くて剛い（伸びが少ない）が衝撃力に弱い釣糸ａと衝撃力に強いが太くて柔かい釣糸ｂという特性の異なる２本の釣糸を結ぶに際し、太くて柔かい釣糸ｂを真直ぐに張った状態で第１の糸保持回転体および第２の糸保持回転体にそれぞれ挟持し、さらに細くて剛い釣糸ａの一端を第１の糸保持回転体に保持し、釣糸ａの他端を手で持ちながらスイッチを入れると、同期回転する第１の糸保持回転体および第２の糸保持回転体に保持された釣糸ｂは回転をしながら、一端を第１の糸保持回転体に保持された釣糸ａを巻付けていくことができる。
【００１１】
さらに、第１の糸保持回転体および第２の糸保持回転体はともに回転軸部を備え、本体ケースの両端には前記回転軸部と回転嵌合する第１の軸受部と第２の軸受部とを備え、前記回転軸部には回転中心線方向に中心線付近に達する溝部を設け、前記軸受部には前記溝部と同方向に切欠部を設け、前記溝部に釣糸を挟持するよう構成されており、第１の糸保持回転体および第２の糸保持回転体の回転中心線に沿って簡単に釣糸を保持できる。
【００１２】
こうすることによって、簡単な手作業を追加するだけで特性の異なる２本の釣糸を短時間で結んで釣りに使用することができる。
【発明の効果】
【００１３】
細くて剛い（伸びが少ない）が衝撃力に弱い釣糸ａと衝撃力に強いが太くて柔かい釣糸ｂという特性の異なる２本の釣糸を結ぶに際し、太くて柔かい釣糸ｂを真直ぐに張った状態で第１の糸保持回転体および第２の糸保持回転体にそれぞれ挟持し、さらに細くて剛い釣糸ａの一端を第１の糸保持回転体に保持し、釣糸ａの他端を手で持ちながらスイッチを「入」にし、スイッチを「入」にしたまま、手で保持した釣糸ａの他端を移動させることにより、真直ぐに張った釣糸ｂに釣糸ａを簡単に整列巻きができる。さらに、整列巻きを多数回巻いた後釣糸ａの移動を戻すことにより重ね巻きとなり、より確実に絡めることができる。その絡めた摩擦力で釣糸ａと釣糸ｂを繋ぐことができるので、釣糸ａの端を解け防止処理するだけで、応力集中させることなく釣糸ａと釣糸ｂとを結合させることができる。
【００１４】
また、第１の糸保持回転体および第２の糸保持回転体の溝部と本体ケースの軸受部に設けた切欠部は、回転中心線に沿って一致して開口しているので、溝部に釣糸を押し込むだけの簡単作業で短時間に準備ができ、第１の糸保持回転体および第２の糸保持回転体とは同期回転をするので、両者に挟持することにより、柔軟性のある釣糸ｂでも捩れることなく回転でき均一な巻付けができる。
【発明を実施するための最良の形態】
【００１５】
以下、本発明の実施の形態について、図面を参照しながら説明する。
【実施例１】
【００１６】
図１と図２は、本発明の一実施例における電動釣糸結び器の正面外観図と側面外観図である。また、図３は、内部構造を示す正面断面図である。略コ字状の形状をした本体ケ−
ス１の両端に、第１の糸保持回転体２および第２の糸保持回転体３が、その両者の回転中心線を一致させて配置されるとともに、回転伝達軸４を介して両者が同期回転するようにギヤ嵌合している。モーター６の回転は、モーターのシャフトに取り付けられたピニオン歯車１９から順次減速用歯車５ａ、５ｂを介して回転伝達軸４へと伝達される。モーター６は、電池７を電源として、マイクロスイッチ８を介して駆動される。マイクロスイッチ８は、本体ケース１に摺動自在に取付けられたスイッチレバー９の操作により電源の「入」「切」の作動をする。
【００１７】
第１の糸保持回転体２および第２の糸保持回転体３は、それぞれ回転軸部１０ａ、１０ｂを有し、その回転軸部１０ａ、１０ｂは、本体ケース１の両端に形成された第１の軸受部１１ａ、第２の軸受部１１ｂと回転嵌合している。そして、回転軸部１０ａ、１０ｂには回転中心線方向に回転中心線付近に達する溝部１２ａ、１２ｂが設けられており、また、本体ケース１の軸受部１１ａ、１１ｂには、溝部１２ａ、１２ｂと同方向に、切欠部１３ａ、１３ｂが設けらており、その切欠部１３ａ、１３ｂは回転中心線付近まで達している。
【００１８】
図４は、上記実施例の電動釣糸結び器の第１の糸保持回転体２の正面断面図であり、図５は、その下面断面図である。第１の糸保持回転体２の溝部１２ａには、隔壁１４ａが設けられ、その隔壁１４ａの両面に略Ｕ字状の形状をした糸押えバネ１５が、その一端を隔壁１４ａに付勢接触するように取り付けられており、隔壁１４ａと糸押えバネ１５との間に釣糸を挟持できる。溝部１２ａは隔壁１４ａの両面に挟持することができ、それぞれ異なる種類の釣糸に対して確実に挟持することができる。
【００１９】
図６は、上記実施例の電動釣糸結び器の第２の糸保持回転体の下面断面図である。第２の糸保持回転体３の溝部１２ｂには、中壁面１４ｂが設けられ、その中壁面１４ｂに略Ｕ字状の形状をした糸押えバネ１５が、その一端を中壁面１４ｂに付勢接触するように取り付けられており、中壁面１４ｂと糸押えバネ１５との間に釣糸を挟持できる。第２の糸保持回転体３の溝部１２ｂは、１種類の釣糸が挟持できる。
【００２０】
図４において、第１の糸保持回転体２の回転面１６の一部には凹部１６ａを設けている。その凹部１６ａに嵌合する凸部９ａが、スイッチレバー９に設けられており、スイッチレバー９は、図３に示すようにレバーバネ１７により付勢され嵌合状態を維持している。
【００２１】
図７および図８は、上記実施例の電動釣糸結び器の上面部分断面図であり、図７は電源「切」状態を、図８は電源「入」状態を表している。スイッチレバー９を引きマイクロスイッチ８を作動させ電源を「入」にした時、スイッチレバー９の凸部９ａは、第１の糸保持回転体２の凹部１６ａから外れ、回転を始めた第１の糸保持回転体２の回転面１６を摺動しつつ電源「入」状態を維持しつつ回転し、レバーバネ１７により押され前記凹部１６ａと嵌合したとき、電源「切」状態となるとともに第１の糸保持回転体２の停止位置を規制し、本体ケ−ス１の切欠部１３ａ、１３ｂと第１の糸保持回転体２の溝部１２ａの方向を一致させ、同期回転している第２の糸保持回転体３の溝部１２ｂとも一致させる。
【００２２】
図９は、上記実施例の電動釣糸結び器のモーター部の部分断面図である。モーター６のシャフト６ａに段付軸１８を固定し、ピニオン歯車１９をワッシャー２０を介して軸バネ２１で付勢した状態で、Ｅリング２２により段付軸１８に取付けられており、一定以上の回転力が加わったとき、段付軸１８に対してピニオン歯車１９が滑り回転するよう滑り回転体を構成している。前述のとおり、電源「入」状態から「切」状態となるときは、レバーバネ１７により付勢されたスイッチレバー９の凸部９ａが第１の糸保持回転体２の凹部１６ａに嵌合し、第１の糸保持回転体２を強制的に停止させる一方で、モーター６には回転慣性力が残っており、この時ピニオン歯車１９が滑り回転して、歯車減速部５に加わる
回転慣性力を吸収する。
【００２３】
図１０、図１１，図１２、及び図１３は、上記実施例の電動釣糸結び器を使用して細くて剛い（伸びが少ない）が衝撃力に弱い釣糸ａ、例えば１．５号のポリエチレン糸と衝撃力に強いが太くて柔かい釣糸ｂ、例えば５号のナイロン糸の２本の釣糸を結ぶ手順を説明したものであり、図１０は釣糸の取付け状態図、図１１は釣糸の巻付け状態図、図１２は釣糸の解け防止処理図、図１３は結ばれた釣糸の完成図である。
【００２４】
前述したように、第１の糸保持回転体２および第２の糸保持回転体３の溝部１２ａ、１２ｂと本体ケース１の切欠部１３ａ、１３ｂは、回転中心線に沿って一致して開口しているので、図１０に示すように回転中心線沿って、第１の糸保持回転体２および第２の糸保持回転体３の溝部１２ａ、１２ｂに衝撃力に強いが太くて柔かい釣糸ｂ２４を押込むだけで挟持でき、さらに第１の糸保持回転体２の溝部１２ａに細くて剛い（伸びが少ない）が衝撃力に弱い釣糸ａ２３の一端も押込むだけで挟持できる。釣糸ａ２３の他端は手で保持しスイッチレバー９を引くと、第１の糸保持回転体２および第２の糸保持回転体３が同期回転し、その溝部１２ａ、１２ｂに挟持された釣糸ｂ２４も捻れることなく回転するとともに、第１の糸保持回転体２の溝部１２ａに一端を挟持された釣糸ａ２３は、釣糸ｂ２４に巻き付いていく。
【００２５】
スイッチレバー９を引いたままにしておくと、第１の糸保持回転体２と第２の糸保持回転体３が同期回転を続けるので、手で保持した釣糸ａ２３の他端を下方に移動させれば、簡単にしかも均一に整列させて、釣糸ａ２３を釣糸ｂ２４に巻き付けることができる。多数回巻付けた後、釣糸ａ２３の他端を上方に折返して移動させ、図１１のように重ね巻きをして１重目を押さえ込むことで、釣糸ａ２３の釣糸ｂ２４への巻付けは確実となり、巻付けの摩擦力で釣糸ａ２３と釣糸ｂ２４を結合できる。スイッチレバー９をはなし第１の糸保持回転体２と第２の糸保持回転体３が回転を停止した後、図１２のように、溝部１２ａに挟持していた釣糸ａ２３の一端を外し、ハーフヒッチ結びで釣糸ｂと釣糸ａの他端を共締めして、釣糸ａの解け防止処理をするだけで、釣糸ａと釣糸ｂを繋ぐことができる。ハーフヒッチ結びとは、略Ｕ字状に形成した釣糸ａ２３の端部で、釣糸ｂと釣糸ａの他端を共に巻き込みながら、前述の略Ｕ字状の釣糸ａ２３の間を潜らせ締め込む方法であり、このハーフヒッチ結びを数回繰り返すことで、釣糸ａ２３の解け防止処理ができる。さらに釣糸ａ２３の他端のみにハーフヒッチ結びを数回繰り返えせば、解け防止処理が確実になる。次に、釣糸ａ２３と釣糸ｂ２４とをたがいに引っ張り、前記巻付けを密にしめあげた後、図１３のように、釣糸ａ２３の釣糸ｂ２４の余分な端部を切断除去することで完成する。
【００２６】
また、釣糸ｂ２４が長くてスプール（糸巻体）２５に巻かれている場合は、釣糸ｂ２４を持ってスプール２５を吊り下げても釣糸が解けないように保持できるのような止め部品、例えばクリップ２６が電動釣糸結ぶ器の付属品としてあると都合がよい。図１１のように、釣糸ｂ２４を第１の糸保持回転体および第２の糸保持回転体に保持できる長さだけ出してクリップ２６をスプール２５に取り付け、スプール２５を空中で吊り下げた状態にすれば、釣糸ｂ２４が何回転しても、それにつれてスプール２５も回転するので、糸撚れすることなく巻付けができる。なお、止め部品は釣糸が解けないように保持できるものであればクリップに限らずどういうものを用いてもよい。また、止め部品が電動釣糸結び器に着脱自在に装着できるとなお一層よい。
【００２７】
上記実施例の電動釣糸結び器では、モーターの回転を第１の糸保持回転体と第２の糸保持回転体に伝える減速部と回転伝達部を歯車列による方式を用いたが、歯車列方式に代え、ベルト伝達方式やチェーン伝達方式を用いてもよい。
【産業上の利用可能性】
【００２８】
本発明にかかる電動釣糸結び器は、特に擬似針を使用する釣りにおいては、特性の異なる２本の釣糸を繋いで使用するのに有用である。また、釣糸の先端部を折り返し二重にして使用するダブルラインという方法もあり、本発明にかかる電動釣糸結び器を用いて、釣り糸を第２の糸保持回転体から第１の糸保持回転体に挟持した後、折り返して第１の糸保持回転体に再度挟持し、その端部を手で持ちながらスイッチを入れれば、２本の釣糸の回巻付けと同様の巻付けと糸の解け防止処理でダブルラインを作成することもできる。このように本発明は、多様な釣りに対応できる電動釣糸結び器として有用である。
【図面の簡単な説明】
【００２９】
【図１】本発明の一実施例における電動釣糸結び器の正面外観図
【図２】上記実施例における電動釣糸結び器の側面外観図
【図３】上記実施例における電動釣糸結び器の正面断面図
【図４】上記実施例における電動釣糸結び器の第１の糸保持回転体の正面断面図
【図５】上記実施例における電動釣糸結び器の第１の糸保持回転体の下面断面図
【図６】上記実施例における電動釣糸結び器の第２の糸保持回転体の下面断面図
【図７】上記実施例における電動釣糸結び器の上面部分断面図（電源「切」状態）
【図８】上記実施例における電動釣糸結び器の上面部分断面図（電源「入」状態）
【図９】上記実施例における電動釣糸結び器のモーター部の部分断面図
【図１０】上記実施例における電動釣糸結び器の使用方法の説明図（釣糸の取付け状態図）
【図１１】上記実施例における電動釣糸結び器の使用方法の説明図（釣糸の巻付け状態図）
【図１２】上記実施例における電動釣糸結び器の使用方法の説明図（釣糸の解け防止処理図）
【図１３】上記実施例における電動釣糸結び器の使用方法の説明図（結ばれた釣糸の完成図）
【符号の説明】
【００３０】
１    本体ケース
２    第１の糸保持回転体
３    第２の糸保持回転体
４    回転伝達軸
５    減速部
５ａ、５ｂ  減速用歯車
６    モーター
７    電池
８    マイクロスイッチ
９    スイッチレバー
９ａ    凸部
１０ａ、１０ｂ    回転軸部
１１ａ、１１ｂ    軸受部
１２ａ、１２ｂ    溝部
１３ａ、１３ｂ  切欠部
１４ａ    隔壁
１４ｂ    中壁面
１５    糸押えバネ
１６    回転面
１６ａ    凹部
１７    レバーバネ
１８    段付軸
１９    ピニオン歯車
２０    ワッシャー
２１    軸バネ
２２    Ｅリング
２３    釣糸ａ
２４    釣糸ｂ
２５    スプール（糸巻体）
２６    クリップ
【図１】
2005160444.tif 000003
【図２】
2005160444.tif 000004
【図３】
2005160444.tif 000005
【図４】
2005160444.tif 000006
【図５】
2005160444.tif 000007
【図６】
2005160444.tif 000008
【図７】
2005160444.tif 000009
【図８】
2005160444.tif 000010
【図９】
2005160444.tif 000011
【図１０】
2005160444.tif 000012
【図１１】
2005160444.tif 000013
【図１２】
2005160444.tif 000014
【図１３】
2005160444.tif 000015